(57)【要約】【課題】外部メディアの記録内容を簡単に確認できるようにする。【解決手段】タグ付きメディア２３には、メディア本体２３ａに、メディアＩＤを記憶した無線タグ２６が設けられている。このタグ付きメディア２３を使用してデジタルカメラ１０で撮影を行うと、デジタルカメラ１０は、カメラ本体１１内の内部メモリに、メディアＩＤに関連付けてサムネイル画像データを格納する。デジタルカメラ１０の本体外面には、無線タグ２６に無線によりアクセスしてメディアＩＤを読み取る読み取り窓２７が設けられている。この読み取り窓２７にタグ付きメディア２３を近づけると、デジタルカメラ１０にメディアＩＤが取り込まれる。デジタルカメラ１０は、このメディアＩＤと関連付けて記録されたサムネイル画像をＬＣＤパネル１９に表示する。【選択図】        図１
2005006214.tif 000002
【特許請求の範囲】
【請求項１】
被写体を撮像して得られた撮像信号をデジタルな画像データに変換する撮像部と、前記画像データを記憶する外部記憶メディアが着脱自在に装填されるスロットと、前記外部記憶メディア内の画像データを再生表示するディスプレイとを備えたカメラ付き携帯用電子機器において、
前記スロットに装填された前記外部記憶メディアに前記画像データを記録する際に、前記画像データを縮小した縮小画像データを生成し、前記外部記憶メディアに付与されたメディアＩＤと、前記縮小画像データとを関連付けて格納するための縮小画像格納用メモリと、
前記外部記憶メディアを前記スロットに装填することなく、前記外部記憶メディアに接近させることで、前記メディアＩＤを読み取り可能なメディアＩＤ読み取り手段とを備えていることを特徴とするカメラ付き携帯用電子機器。
【請求項２】
前記メディアＩＤは、前記外部記憶メディアに設けられた無線タグに記憶されており、前記メディアＩＤ読み取り手段は、前記無線タグにアクセスして前記メディアＩＤを読み取る無線タグリーダであることを特徴とする請求項１記載のカメラ付き携帯用電子機器。
【請求項３】
前記メディアＩＤ読み取り手段によって前記外部記憶メディアからメディアＩＤを読み取り、このメディアＩＤと関連付けて格納された縮小画像を、前記縮小画像格納用メモリから読み出してディスプレイに表示することを特徴とする請求項１又は２記載のカメラ付き携帯用電子機器。
【請求項４】
前記縮小画像格納用メモリ内に格納されたメディアＩＤを検索対象メディアＩＤとして指定する指定手段と、この指定手段によって指定された検索対象メディアＩＤと前記メディアＩＤ読み取り手段によって読み取られたメディアＩＤとを照合する照合手段と、この照合手段による照合結果を報知する報知手段とを備えたことを特徴とする請求項１〜３いずれか記載のカメラ付き携帯用電子機器。
【発明の詳細な説明】
【０００１】
【発明の属する技術分野】
本発明は、撮影画像をデジタルデータとして記録するカメラ機能を備えたカメラ付き携帯用電子機器に関するものである。
【０００２】
【従来の技術】
デジタルカメラに代表されるように、撮影画像をデジタルデータとして記録するカメラ付き携帯用電子機器が知られている。デジタルカメラには、メモリーカードやマイクロドライブなどの外部記憶メディア（以下、外部メディア）を着脱自在に装填するスロットが設けられており、撮影された画像ファイルは、この外部メディアに記録される。外部メディア内の画像ファイルは、デジタルカメラの再生モードを使用して、カメラ本体に設けられたディスプレイに表示することができる（例えば、下記特許文献１参照）。
【０００３】
【特許文献１】
特開２００２−２４７４３６号公報
【０００４】
【発明が解決しようとする課題】
外部メディアはいったん記録したデータを消去することにより繰り返し使用することができるが、撮影機会が多いユーザーは、複数の外部メディアを所有している場合も多い。上述したとおり、外部メディアの記録内容は、デジタルカメラの再生モードを利用して確認することができるが、複数の外部メディアの記録内容を確認する場合には、外部メディアの挿抜を繰り返さなければならない。こうした作業は、外部メディアの数が多くなるほど煩わしいものとなる。
【０００５】
本発明は、簡単に外部メディアの記録内容を確認することができるカメラ付き携帯用電子機器を提供することを目的とする。
【０００６】
【課題を解決するための手段】
前記目的を達成するために、本発明のカメラ付き携帯用電子機器は、被写体を撮像して得られた撮像信号をデジタルな画像データに変換する撮像部と、前記画像データを記憶する外部記憶メディアが着脱自在に装填されるスロットと、前記外部記憶メディア内の画像データを再生表示するディスプレイとを備えたカメラ付き携帯用電子機器において、前記スロットに装填された前記外部記憶メディアに前記画像データを記録する際に、前記画像データを縮小した縮小画像データを生成し、前記外部記憶メディアに付与されたメディアＩＤと、前記縮小画像データとを関連付けて格納するための縮小画像格納用メモリと、前記外部記憶メディアを前記スロットに装填することなく、前記外部記憶メディアに接近させることで、前記メディアＩＤを読み取り可能なメディアＩＤ読み取り手段とを備えていることを特徴とする。
【０００７】
前記メディアＩＤは、前記外部記憶メディアに設けられた無線タグに記憶されており、前記メディアＩＤ読み取り手段は、前記無線タグにアクセスして前記メディアＩＤを読み取る無線タグリーダであることが好ましい。
【０００８】
前記メディアＩＤ読み取り手段によって前記外部記憶メディアからメディアＩＤが読み取られ、このメディアＩＤと関連付けて格納された縮小画像が、前記縮小画像格納用メモリから読み出されてディスプレイに表示される。これにより、スロットに外部記憶メディアを装填することなく、外部記憶メディアの記録内容を簡単に確認することができる。
【０００９】
前記縮小画像格納用メモリ内に格納されたメディアＩＤを検索対象メディアＩＤとして指定する指定手段と、この指定手段によって指定された検索対象メディアＩＤと前記メディアＩＤ読み取り手段によって読み取られたメディアＩＤとを照合する照合手段と、この照合手段による照合結果を報知する報知手段とを備える。こうすれば、縮小画像格納用メモリ内の縮小画像に対応する本画像が記録された記録先メディアを簡単に検索することができる。
【００１０】
【発明の実施の形態】
図１に示すデジタルカメラ１０は、カメラ本体１１の前面に、撮影レンズが組み込まれたレンズ鏡胴１２が設けられており、上面には、電源ボタン１３及びレリーズボタン１４が設けられている。また、カメラ本体１１の背面には、ズームボタン１６，４つのボタンが十字配列された汎用キー１７，モード選択レバー１８、ＬＣＤ（Ｌｉｑｕｉｄ  Ｃｒｙｓｔａｌ  Ｄｉｓｐｌａｙ）パネル１９が設けられている。
【００１１】
モード選択レバー１８は、撮影を行う撮影モード，撮影画像をＬＣＤパネル１９に再生表示する再生モード，簡易確認モード，各種の設定を行うセットアップモードの各動作モードを切り替える。デジタルカメラ１０には、無線タグと交信して無線タグ内の情報を読み取る無線タグリーダ（図３の符号５１参照）が設けられている。簡易確認モードでは、この無線タグリーダ５１が作動して、無線タグ付き外部メディア２３（以下、タグ付きメディアという）からメディアＩＤを読み取ることで、前記タグ付きメディア２３の記録内容を簡単に確認できるようにしている。ＬＣＤパネル１９は、再生された画像や、各種の設定を行うセットアップ画面を表示するとともに、撮影モードにおいては、フレーミング用のスルー画を表示する電子ビューファインダとしても機能する。汎用キー１７は、各種設定操作に使用される。
【００１２】
カメラ本体１１の側面には、無線タグ２６が設けられていない通常の外部メディア（以下、ノーマルメディアという）２２及びタグ付きメディア２３を着脱自在に装填するスロット２４が設けられている。撮影された画像ファイルは、ノーマルメディア２２やタグ付きメディア２３に記録される。ノーマルメディア２２とタグ付きメディア２３とは、同じメディア本体を有しており、タグ付きメディア２３は、そのメディア本体２３ａにメディア識別情報（メディアＩＤ）を記憶した無線タグ２６を設けたものである。この無線タグ２６は、メディア本体２３ａの外面に貼付してもよいし、メディア本体２３ａ内に埋め込んでもよい。
【００１３】
メディアＩＤは、予め製造時にメディア本体に記録されており、各外部メディアが有する固有のＩＤである。このメディアＩＤには、ノーマルメディア２２かタグ付きメディア２３かを識別するためのメディア種類識別情報（以下、種類情報という）も含まれている。タグ付きメディア２３には、メディアＩＤが、メディア本体２３ａとは別に、無線タグ２６にも書き込まれる。デジタルカメラ１０は、この種類情報を読み取ることで、デジタルカメラ１０が、スロット２４に装填された外部メディアの種類を識別する。
【００１４】
無線タグ２６は、周知のように、電磁波を媒体にして交信可能な小型の非接触型ＩＣメモリであり、図２（Ａ）に示すように、情報を記憶するＩＣメモリチップ２６ａと、このＩＣメモリチップ２６ａに外部から無線によりアクセスできるように電磁波を送受信するアンテナ部２６とから構成される。無線タグは、無線により各種の認証を行うＲＦＩＤ（Ｒａｄｉｏ  Ｆｒｅｑｕｅｎｃｙ  Ｉｄｅｎｔｉｆｉｃａｔｉｏｎ）システムの構成要素として広く普及しつつあり、ＲＦＩＤタグや電子荷札などとも呼ばれる。無線タグのサイズは、数ｍｍ四方程度の大きさで、厚みはコンマ数ｍｍ程度である。
【００１５】
通信方式としては、マイクロ波型、電磁誘導型など各種の方式がある。無線タグの交信可能距離は、通信方式や電磁波の強弱によって異なるが、おおよそ数ｍｍ程度〜数十センチ程度の範囲である。ＩＣメモリチップ２６ａとしては、記憶保持動作に給電が不要な不揮発性メモリが使用される。ＩＣメモリチップ２６ａに書き込まれた情報を読み取る場合など、無線タグ２６を動作させるための電力は、読み取り装置側から送信される電磁波をキャリアとして供給される。このため、無線タグ２６には電源が不要である。
【００１６】
タグ付きメディア２３をスロット２４に装填して、撮影を実行した場合には、デジタルカメラ１０は、本画像のデータをメディア本体２３ａ内に記録するとともに、その本画像を縮小処理して生成された縮小画像（サムネイル画像）のデータを、カメラ本体１１内に設けられたサムネイル格納用メモリ（図３の符号４８参照）に記録する。サムネイル画像のデータは、スロット２４に装填されたタグ付きメディア２３のメディアＩＤに関連付けて記録される。
【００１７】
なお、ＪＰＥＧやＴＩＦＦなどの画像ファイルの形式によっては、本画像データとともにサムネイル画像データを格納する場合もある。そのような場合には、サムネイル画像データは、サムネイル格納用メモリ４８とは別に、メディア本体２３ａにも記録される。
【００１８】
スロット２４の上方には、前記無線タグリーダ５１の読み取り窓２７が設けられている。読み取り窓２７の奥には、無線タグ２６と通信するためのアンテナが配置されている。簡易確認モードでは、無線タグリーダ５１が起動し、アンテナから交信用の電磁波が送出される。これにより、読み取り窓２７に無線タグ２６を近づけると、前記電磁波を介して無線タグ２６内のメディアＩＤが読み取られる。そして、サムネイル格納用メモリ４８内に格納され、読み取られたメディアＩＤと関連付けて記録されたサムネイル画像ＴＰ１〜ＴＰ６が、ＬＣＤパネル１９に一覧表示される。これにより、ユーザーは、タグ付きメディア２３をスロット２４に装填することなく、その記録内容を簡易的に確認することができる。
【００１９】
図２（Ｂ）は、デジタルカメラ１０の電気構成の概略を示す。撮像部３６は、レンズ鏡胴１２，ＣＣＤイメージセンサ，アナログ信号処理回路，Ａ／Ｄコンバータなどからなり、ＣＣＤイメージセンサが取り込んだ撮像信号をデジタルな画像データに変換して画像処理部３７に出力する。画像処理部３７は、この画像データに対して、ガンマ補正，ホワイトバランス補正などの画質補正処理，ＪＰＥＧなどの所定のファイル形式に画像データを変換する変換処理，この画像データに縮小処理を施してサムネイル画像を生成する縮小処理など、各種の画像処理を行う。サムネイル画像は、１枚当たりのデータサイズが、例えば、２０ＫＢ〜３０ＫＢ程度に圧縮される。
【００２０】
ＲＯＭ４３には、ＣＰＵ４１が実行する動作プログラムが記憶されている。ＣＰＵ４１は、操作部４４（レリーズボタン，モード選択レバー，汎用キーなど）からの操作信号に基づいて、動作プログラムに記述された処理ステップを実行することにより、カメラ本体各部を制御する。ＲＡＭ４２は、ＣＰＵ４１が動作プログラムを実行するための作業用メモリである。
【００２１】
第１Ｒ／Ｗ回路４６は、画像処理が施された本画像データを、ノーマルメディア２２及びタグ付きメディア２３に書き込むとともに、それぞれのメディア本体から、本画像データ及びメディアＩＤを読み出す。第２Ｒ／Ｗ回路４７は、サムネイル格納用メモリ４８へのデータの書き込みと読み出しとを行う。サムネイル格納用メモリ４８は、スロット２４にタグ付きメディア２３が装填されている場合に、画像処理部３７によって生成されたサムネイル画像が格納される内部メモリである。このサムネイル格納用メモリ４８には、不揮発性メモリが使用され、該メモリ４８内のサムネイル画像は、電源がオフされても保持される。
【００２２】
図４（Ａ）に示すように、サムネイル格納用メモリ４８には、画像フォルダが設けられており、各サムネイル画像ＴＰ１〜ＴＰｘが格納される。これら各サムネイル画像ＴＰ１〜ＴＰｘは、撮影時にスロット２４に装填されているタグ付きメディア２３のメディアＩＤと関連付けて記録される。メディアＩＤとの関連付けは、サムネイル管理ファイル４９によって行われる。図４（Ｂ）に示すように、サムネイル管理ファイル４９には、メディアＩＤと各サムネイル画像ＴＰ１〜ＴＰｘとの対応関係を示すデータが格納される。図の例では、サムネイル画像ＴＰ１〜ＴＰ６のファイル名が、メディアＩＤ＝「０００１」に関連付けられており、サムネイル画像ＴＰ２６〜ＴＰ３０のファイル名が、メディアＩＤ＝「０００２」に関連付けられている。
【００２３】
撮影モードでは、スロット２４に装填されたタグ付きメディア２３のメディアＩＤと、サムネイル管理ファイル内のメディアＩＤとの照合が行われる。この照合により、すでにサムネイル管理ファイル４９内に該当するメディアＩＤが存在する場合には、そのメディアＩＤに関連づけてサムネイル画像が追加され、他方、存在しない場合には、新たにメディアＩＤが記録され、そのメディアＩＤに関連付けてサムネイル画像が追加される。
【００２４】
なお、本例では、メディアＩＤとサムネイル画像データとの関連付けを、サムネイル管理ファイル４９を用いて行っているが、関連付けの方法には、これ以外にも、例えば、サムネイル管理ファイルを用いずに、各サムネイル画像データ内にメディアＩＤを格納して関連付けをする方法など各種の方法があり、いずれの方法を用いてもよい。
【００２５】
無線タグリーダ５１は、ＲＦ回路５２とアンテナ部５３とから構成され、スロット２４外にあるタグ付きメディア２３の無線タグ２６からメディアＩＤを読み取る。アンテナ部５３は、無線タグ２６との間で交信用の電磁波を送受信する。ＲＦ回路５２は、アンテナ部５３の電磁波の送受信を制御する。無線タグリーダ５１が読み取ったメディアＩＤは、ＲＡＭ４２に一時的に記憶される。簡易確認モードでは、ＣＰＵ４１は、読み取ったメディアＩＤと、サムネイル管理ファイル４９内のメディアＩＤとを照合して、読み取ったメディアＩＤと一致するメディアＩＤがサムネイル管理ファイル４９内に有る場合には、そのメディアＩＤと関連するサムネイル画像を、第２Ｒ／Ｗ回路４７を介してサムネイル格納用メモリ４８から読み出し、ＬＣＤパネル１９に表示する。
【００２６】
なお、デジタルカメラ１０が撮影時に使用したタグ付きメディア２３が、別のデジタルカメラで使用される場合も考えられる。そのような場合には、デジタルカメラ１０のサムネイル格納用メモリ内のデータと、タグ付きメディア内のデータとの間に不整合が生じるおそれもある。例えば、デジタルカメラ１０によってタグ付きメディア２３に１枚の画像データが記録された後、当該タグ付きメディア２３が別のデジタルカメラの撮影で使用されると、デジタルカメラ１０内のサムネイル格納用メモリ内のデータと、タグ付きメディアの記録内容とが一致しなくなる。そのような場合には、次回、デジタルカメラ１０にタグ付きメディアが装填された時に、デジタルカメラ１０がタグ付きメディア内の記録内容とサムネイル格納用メモリ内のデータとを照合して、サムネイル格納用メモリ内のデータを更新するようにするとよい。
【００２７】
以下、上記構成による作用について、図５及び図６のフローチャートを参照しながら説明する。デジタルカメラ１０で撮影を行う場合には、ノーマルメディア２２又はタグ付きメディア２３をスロット２４に装填して、モード選択レバー１８を撮影モードにセットする。フレーミング後、レリーズボタン１４を押下すると、撮影処理が実行されて、本画像データがノーマルメディア２２又はタグ付きメディア２３に書き込まれる。
【００２８】
ＣＰＵ４１は、第１Ｒ／Ｗ回路４６を通じてメディア本体からメディアＩＤを読み取り、そのメディアＩＤに含まれる種類情報を基に、スロット２４内の外部メディアがノーマルメディア２２かタグ付きメディア２３かを判断する。タグ付きメディア２３の場合には、本画像データのサムネイル画像を生成し、生成されたサムネイル画像データとメディアＩＤを関連付けてサムネイル格納用メモリ４８に書き込む。このとき、サムネイル管理ファイル４９に当該メディアＩＤがすでに存在する場合には、そのメディアＩＤに関連付けて、サムネイル画像が追加される。他方、サムネイル管理ファイル４９に当該メディアＩＤが存在しない場合には、当該メディアＩＤを新たに追加して、その追加されたメディアＩＤと関連付けてサムネイル画像が追加される。これにより、１回の撮影処理が終了する。
【００２９】
スロット２４内の外部メディアがノーマルメディア２２である場合には、サムネイル格納用メモリ４８へのサムネイル画像の書き込みや、サムネイル管理ファイル４９の更新は行われずに、１回の撮影処理が終了する。次の撮影を行う場合には、上記手順が繰り返される。動作モードを再生モードに切り替えると、スロット２４内の外部メディアから撮影した画像データが読み出されてＬＣＤパネル１９に再生表示される。
【００３０】
デジタルカメラ１０とタグ付きメディア２３とを使用して撮影を行った場合には、簡易確認モードを使用して、タグ付きメディア２３をスロット２４に装填することなく、その記録内容を確認することができる。モード選択レバー１８により簡易確認モードが選択されると、無線タグリーダ５１が起動して、アンテナ部５３から無線タグ２６との交信用電波が送出される。この状態で、読み取り窓２７にタグ付きメディア２３を近づけると、無線タグリーダ５１が該メディア２３の無線タグ２６からメディアＩＤを読み取る。
【００３１】
ＣＰＵ４１は、第２Ｒ／Ｗ回路４７を介してサムネイル格納用メモリ４８からサムネイル管理ファイル４９を読み出して、サムネイル管理ファイル４９内に読み取ったメディアＩＤが有るかどうかを調べる。当該メディアＩＤが有る場合には、そのメディアＩＤに関連付けて格納されたサムネイル画像データを、サムネイル格納用メモリ４８から読み出して、それをＬＣＤパネル１９に表示する。別のタグ付きメディア２３の記録内容を確認する場合には、そのタグ付きメディア２３を読み取り窓２７に近づける。すると、上記手順が実行されて、読み取ったメディアＩＤに対応するサムネイル画像がＬＣＤパネル１９に表示される。
【００３２】
上記実施形態では、メディアの種類（通常の外部メディアかタグ付きメディアか）を、メディアＩＤに含まれる種類情報に基づいて判定するようにしているが、スロットにセットされた外部メディアに無線タグが設けられているか否かを調べることで、メディアの種類を判定するようにしてもよい。この場合には、スロットに装填された外部メディアの無線タグの有無を、無線タグリーダを使用して判断する。この無線タグリーダとしては、スロット外にあるタグ付きメディアからメディアＩＤを読み取る上述の無線タグリーダ（外部用リーダ）を使用してもよいし、スロット内のタグ付きメディアからメディアＩＤを読み取る専用の無線タグリーダ（内部用リーダ）を設けてもよい。外部用リーダを使用する場合には、スロット内のタグ付きメディアと交信できるように、交信範囲を広げる必要がある。
【００３３】
また、上記実施形態では、メディアＩＤとして、外部メディアに製造時に付与されるメディアＩＤを使用した例で説明しているが、製造時に付与されるメディアＩＤの代わりに、例えば、デジタルカメラが、そのスロットに装填された外部メディアに対してメディアＩＤを付与するようにし、そのメディアＩＤを使用するようにしてもよい。この場合には、デジタルカメラは、それが付与したメディアＩＤをメディア本体に書き込むとともに、それと同じメディアＩＤをタグ付きメディアの無線タグに書き込む必要がある。このため、デジタルカメラ本体内には、無線タグライターを設ける必要がある。
【００３４】
上記実施形態では、カメラ本体外にあるタグ付きメディアのメディアＩＤを読み取り、そのメディアＩＤに対応するサムネイル画像がサムネイル格納用メモリにある場合には、そのサムネイル画像をＬＣＤパネルに表示して、タグ付きメディアの記録内容を簡易的に確認する例で説明している。この簡易確認機能以外にも、例えば、図７に示すように、サムネイル格納用メモリから読み出されてＬＣＤパネル１９に表示されたサムネイル画像ＴＰ１〜ＴＰｘの中から、所望のサムネイル画像を指定し、そのサムネイル画像の本画像データが、複数のタグ付きメディア２３のどれに記録されているかを調べるという記録先メディアの簡易検索ができるようにしてもよい。
【００３５】
この場合には、デジタルカメラ１０に動作モードとして簡易検索モードを設ける。図８のフローチャートに示すように、まず、簡易検索モードが選択されると、デジタルカメラ１０は、サムネイル格納用メモリ４８内のサムネイル画像をＬＣＤパネル１９に表示する。
【００３６】
ユーザーは、表示されたサムネイル画像の中から、例えば、サムネイル画像ＴＰ５を検索対象コマとして指定する。この指定操作は、汎用キー１７を使用して、カーソル５６を所望のコマに合わせることにより行われる。検索対象コマが確定されると、デジタルカメラ１０は、検索対象コマのメディアＩＤを検索対象メディアＩＤとして設定し、無線タグリーダを起動する。ユーザーが、読み取り窓２７に、複数のタグ付きメディア２３を１枚ずつ接近させると、無線タグリーダ５１によって無線タグ２６内のメディアＩＤが読み取られる。
【００３７】
ＣＰＵ４１は、読み取ったメディアＩＤと検索対象メディアＩＤとを照合して、図８に示すように、一致した場合には「一致しました」、一致しない場合には「一致しません」などといった照合結果をＬＣＤパネル１９に表示する。これにより、ユーザーに照合結果が報知されて、所望のサムネイル画像に対応する本画像データの記録先メディアの検索を簡単に行うことができる。なお、本例では、ＬＣＤパネル１９に照合結果を表示するようにしているが、警告音等により照合結果を報知してもよい。
【００３８】
また、上記実施形態では、いずれも、メディアＩＤを記憶した無線タグ付きメディアを使用して、無線タグからメディアＩＤを読み取ることで、簡易確認や簡易検索を行う例で説明しているが、外部メディアのメディアＩＤを非接触式に読み取る方法であれば、無線タグを用いなくてもよい。無線タグ以外の非接触読み取り方式としては、例えば、光学的に読み取り可能なバーコードが考えられる。この場合には、外部メディアの外面にバーコードでメディアＩＤを記録するとともに、カメラ本体には無線タグリーダの代わりにバーコードリーダが設けられる。
【００３９】
また、上記実施形態では、デジタルカメラを例に説明したが、本発明はデジタルカメラに限らず、カメラ付き携帯電話やカメラ付きＰＤＡ（Ｐｅｒｓｏｎａｌ  Ｄｉｇｉｔａｌ  Ａｓｓｉｓｔａｎｔ）  など、デジタルカメラ以外のカメラ付き携帯用電子機器に適用することも可能である。
【００４０】
【発明の効果】
以上詳細に説明したように、本発明のカメラ付き携帯用電子機器は、機器本体のスロットに装填された外部記憶メディアに画像データを記録する際に、その画像データを縮小した縮小画像データを生成し、前記外部記憶メディアに付与されたメディアＩＤと、前記縮小画像データとを関連付けて格納するための縮小画像格納用メモリと、前記外部記憶メディアを前記スロットに装填することなく、前記外部記憶メディアに接近させることで、前記メディアＩＤを読み取り可能なメディアＩＤ読み取り手段とを備えたから、外部記憶メディア内の記録内容の確認や、前記縮小画像用格納用メモリ内の縮小画像の本画像の記録先メディアの検索を簡単に行うことができる。
【図面の簡単な説明】
【図１】デジタルカメラの外観図である。
【図２】タグ付きメディアの説明図である。
【図３】デジタルカメラの電気構成を示すブロック図である。
【図４】サムネイル格納用メモリとサムネイル管理ファイルのデータ構成を示す説明図である。
【図５】撮影手順を示すフローチャートである。
【図６】簡易確認手順を示すフローチャートである。
【図７】簡易検索動作を説明する説明図である。
【図８】簡易検索手順を示すフローチャートである。
【図９】照合結果の表示例を示す説明図である。
【符号の説明】
１０  デジタルカメラ
１９  ＬＣＤパネル
２３  タグ付きメディア
２６  無線タグ
４８  サムネイル格納用メモリ
４９  サムネイル管理ファイル
５１  無線タグリーダ
【図１】
2005006214.tif 000003
【図２】
2005006214.tif 000004
【図３】
2005006214.tif 000005
【図４】
2005006214.tif 000006
【図５】
2005006214.tif 000007
【図６】
2005006214.tif 000008
【図７】
2005006214.tif 000009
【図８】
2005006214.tif 000010
【図９】
2005006214.tif 000011